(57)【要約】【課題】毛髪に対して所定の巻き付け力を付与しつつ、毛髪の巻き付けを確実に行うことができ、単体で毛髪を固定することで使い勝手を向上させ、より軽量化することが可能なヘアカーラを提供する。【解決手段】筒状に形成され、発熱体２７及び少なくとも一部が発熱体２７と接触する伝熱部材２９を内部に設けたカーラ本体１３を備え、カーラ本体１３の外面に巻き付けるための基部２０，２２と、基部２０，２２から立設するフック片２１，２３とを有する髪巻体１４を備えた。【選択図】  図３
2014104257.tif 000002
【特許請求の範囲】
【請求項１】
筒状に形成され、発熱体及び少なくとも一部が前記発熱体と接触する伝熱体を内部に設けたカーラ本体を備えたヘアカーラであって、
前記カーラ本体の外面に巻き付けるための基部と、前記基部から立設するフック片とを有する髪巻体を備えたことを特徴とするヘアカーラ。
【請求項２】
髪巻体は、毛髪の先端を髪巻体に留めると共に前記毛髪を巻き付ける巻き付け部と、前記巻き付け部に前記毛髪を巻き付けた状態を維持するための毛髪維持部とを有する、請求項１記載のヘアカーラ。
【請求項３】
カーラ本体は、小径部と、前記小径部よりも大径に形成された大径部と、前記小径部及び前記大径部との間に形成された段差部と、を有し、
巻き付け部と毛髪維持部とは、それぞれ別体で形成されており、
前記巻き付け部は、前記小径部の外面に設けられた第１髪巻体であり、
前記毛髪維持部は、前記大径部の外面に設けられた第２髪巻体である、請求項２記載のヘアカーラ。
【請求項４】
第１髪巻体に設けられた第１フック片の高さが、第２髪巻体に設けられた第２フック片の高さよりも低い、請求項３記載のヘアカーラ。
【請求項５】
カーラ本体の外面には、前記外面から突出し、前記外面の周方向及び／又は前記外面の筒軸方向へ形成されたリブが形成されており、
前記外面と髪巻体の裏面との間に空間部が形成されている、請求項１から４のいずれかに記載のヘアカーラ。
【発明の詳細な説明】
【技術分野】
【０００１】
本発明は、毛髪のカール付けに用いるヘアカーラに関する。
【背景技術】
【０００２】
従来から、筒状に形成されたカーラ本体に毛髪を巻き付けて毛髪にカールを付けるヘアカーラが広く知られている。従来から知られているヘアカーラとしては、例えば、ネットの表面に細かい多数のフック状の毛髪係止体を密生させた毛髪巻き体が合成樹脂製の円筒状芯体に巻き付けられているものや（特許文献１）、カーラの本体に発熱体を内蔵し、この発熱体に通電することで自己発熱するものがある（特許文献２，３）。
【先行技術文献】
【特許文献】
【０００３】
【特許文献１】特許第３９２５８９４号公報
【特許文献２】特許第２９１９０２８号公報
【特許文献３】特開平９−２３９２０号公報
【発明の概要】
【発明が解決しようとする課題】
【０００４】
しかし、特許文献１から３に記載されたヘアカーラは、毛髪を巻き付けた後に手を離すと、巻き付け時に毛髪に対して所定の巻き付け力を付与した状態を維持することができず、巻き付け力が付与されていない状態で毛髪が巻き付けられるか、又は巻き付けられた毛髪が徐々に緩み、巻き付けた毛髪からヘアカーラが外れてしまうという問題があった。特に、特許文献２，３に記載されたヘアカーラは、カーラ本体に発熱体等を内蔵しているため、重量が重くなる傾向にある。この場合、ヘアカーラは自重によって毛髪から外れてしまうこともあり、ヘアカーラを使用する点では大きな問題となっていた。このような問題を解決するため、従来のヘアカーラは、毛髪を巻き付けた後に、この毛髪を巻き付けたヘアカーラを巻き付けた毛髪とともにヘアカーラとは別体のクリップで留めなければ、毛髪に巻き付け力を付与しつつヘアカーラに毛髪を巻き付けた状態を維持することが難しくなっていた。また、従来のヘアカーラの場合は、このように毛髪をヘアカーラに巻き付けた後にクリップで留めなければならないので、使用者に対して作業の煩雑さを感じさせてしまうという問題もあった。
【０００５】
また、使用者にとっては、ヘアカーラに毛髪を巻き付ける際、特に毛髪の先端をヘアカーラに巻き付ける際には、該ヘアカーラと毛髪との間で滑りが生じやすく、毛髪を巻き付け難いという問題があった。また、毛髪を巻き付けている間に、巻き付けた毛髪のボリュームによって、ヘアカーラにおいて、巻き付けた毛髪の一部が毛髪を巻き付ける部位以外のところにまで飛び出てしまい、やはり毛髪を巻き付け難くなってしまうという問題もあった。このように、従来のヘアカーラは、該ヘアカーラへの毛髪の巻き付け作業を簡単に行うことができない場合が多く、作業が煩雑になるという問題もあった。特に、後頭部は使用者の手が届きにくいため、後頭部の毛髪にヘアカーラを用いる場合には作業が煩雑になっていた。
【０００６】
さらに、特許文献１に記載されたヘアカーラでは、毛髪を巻き付けた後にドライヤ等で温風を該毛髪に吹き付けることが行われる。しかし、この場合は、使用者は、毛髪をヘアカーラに巻き付けるという作業に加えて、ドライヤ等を用いて温風を毛髪に吹き付ける作業を行わなければならず、作業の工程が多く煩雑に感じやすいという問題があった。また、この場合、使用者は、毛髪に巻き付けたカーラを目視することができないのが通常であり、巻き付けた毛髪に対してドライヤ等で温風を吹き付ける作業を行うのが難しいという問題があった。また、使用者は、このような場合には鏡を見ながら作業を行うことも考えられるものの、鏡越しでドライヤ等を用いて作業を行う際にも、使用者に対して作業の煩わしさを感じさせてしまうことがあった。このような作業は、例えば後頭部のように使用者が目視することが困難で、さらに手の届きにくい場所においては、特に使用者に対して煩わしさを感じさせてしまっていた。
【０００７】
また、特許文献２，３に記載されたヘアカーラの場合は、カーラ本体に発熱体等を内蔵しているので、重量が重くなりがちであり、使用者が毛髪を巻き付ける作業を行う際の作業性が悪いという別の問題があった。特に、特許文献２，３に記載されたヘアカーラは、上記した通り毛髪の巻き付け作業がし難いものであったため、使用者にとっては重いヘアカーラを用いて毛髪の巻き付け作業を行わなければならず、作業の煩雑さが増加していた。
【０００８】
また、ヘアカーラによっては、カーラ本体の両端部にガイドリブを有するものもある。このヘアカーラの場合には、使用者はガイドリブを握ってヘアカーラを回転させつつ毛髪を巻き付ける作業を行うことができる。しかし、このヘアカーラは、カーラ本体に巻き付けられる毛髪の嵩が増してガイドリブを越えてしまうと、この巻き付けた毛髪がガイドリブを隠してしまうために、却って巻き付け作業を行いにくくなってしまうという問題があった。
【０００９】
本発明は、上記した問題点に鑑みてなされたもので、毛髪に対して所定の巻き付け力を付与しつつ、毛髪の巻き付けを確実に行うことができ、単体で毛髪を固定することで使い勝手を向上させ、より軽量化することが可能なヘアカーラを提供することを目的とする。
【課題を解決するための手段】
【００１０】
本発明は、
（１）筒状に形成され、発熱体及び少なくとも一部が前記発熱体と接触する伝熱体を内部に設けたカーラ本体を備えたヘアカーラであって、前記カーラ本体の外面に巻き付けるための基部と、前記基部から立設するフック片とを有する髪巻体を備えたことを特徴とするヘアカーラ、
（２）髪巻体は、毛髪の先端を髪巻体に留めると共に前記毛髪を巻き付ける巻き付け部と、前記巻き付け部に前記毛髪を巻き付けた状態を維持するための毛髪維持部とを有する、上記（１）記載のヘアカーラ、
（３）カーラ本体は、小径部と、前記小径部よりも大径に形成された大径部と、前記小径部及び前記大径部との間に形成された段差部と、を有し、巻き付け部と毛髪維持部とは、それぞれ別体で形成されており、前記巻き付け部は、前記小径部の外面に設けられた第１髪巻体であり、前記毛髪維持部は、前記大径部の外面に設けられた第２髪巻体である、上記（２）記載のヘアカーラ、
（４）第１髪巻体に設けられた第１フック片の高さが、第２髪巻体に設けられた第２フック片の高さよりも低い、上記（３）記載のヘアカーラ、
（５）カーラ本体の外面には、前記外面から突出し、前記外面の周方向及び／又は前記外面の筒軸方向へ形成されたリブが形成されており、前記外面と髪巻体の裏面との間に空間部が形成されている、上記（１）から（４）のいずれかに記載のヘアカーラ、
を要旨とする。
【発明の効果】
【００１１】
本発明に係るヘアカーラによれば、筒状に形成され、発熱体及び少なくとも一部が前記発熱体と接触する伝熱体を内部に設けたカーラ本体を備え、前記カーラ本体の外面に、前記外面に巻き付けるための基部と、前記基部から立設するフック片とを有する髪巻体を備えたので、毛髪の先端をフック片で保持し、その後の毛髪の巻き取りも簡単に行うことができる。また、本発明に係るヘアカーラによれば、ヘアカーラのみによって確実に毛髪を保持し、巻き付け力を付与しつつ毛髪を巻き付けた状態を維持することもできる。したがって、使用者がヘアカーラを巻き付ける際の作業性を大幅に向上させることができ、巻き付け作業を容易に行うことが可能になる。また、本発明に係るヘアカーラによれば、ヘアカーラのみによって巻き付け力を付与しつつ毛髪を巻き付けた状態を維持することができるので、ヘアカーラを使用する時に必要な部品の点数を減らすことができ、使用者の作業性を向上させることが可能になる。さらに、本発明に係るヘアカーラによれば、ヘアカーラを加熱した状態で素早く毛髪を巻き付けることができるので、毛髪をより自然にカールさせることも可能になる。
【図面の簡単な説明】
【００１２】
【図１】本発明の第１の実施の形態に係るヘアカーラと給電台の構成を表す斜視図である。
【図２】第１の実施の形態に係るヘアカーラの外観斜視図であり、（ａ）図は、円筒形状のヘアカーラの外観斜視図、（ｂ）図は、楕円形状のヘアカーラの外観斜視図である。
【図３】円筒形状のヘアカーラの断面図であり、（ａ）図は、図２（ａ）のＡ−Ａ線断面図、（ｂ）図は、図３（ａ）のＣ−Ｃ線断面図である。
【図４】楕円形状のヘアカーラの断面図であり、（ａ）図は、図２（ｂ）のＢ−Ｂ線断面図、（ｂ）図は、図４（ａ）のＤ−Ｄ線断面図である。
【図５】本発明の第２の実施の形態に係るヘアカーラの外観斜視図である。
【図６】第２の実施の形態に係るヘアカーラの断面図であり、（ａ）図は、ヘアカーラの軸方向と平行な方向の断面を示す断面図であり、（ｂ）図は、図６（ａ）のＥ−Ｅ線断面図である。
【発明を実施するための形態】
【００１３】
本発明の第１の実施の形態に係るヘアカーラの構成を以下において具体的に説明する。なお、本明細書において、ヘアカーラ装置の前後上下左右は、図１に示す前後上下左右方向を示すものとして説明し、ヘアカーラの前後上下左右は、図２〜図６の各図に示す前後上下左右方向を示すものとして説明する。なお、以下においては、ヘアカーラと給電台とを合わせてヘアカーラ装置と呼ぶことがある。また、本明細書では、頭部における毛髪に対してヘアカーラを用いる例について説明するが、本発明に係るヘアカーラは、頭部における毛髪以外のものに用いてもよい。
【００１４】
図１に示すように、本実施の形態に係るヘアカーラ１を備えたヘアカーラ装置１００は、給電台２とヘアカーラ１とを備えている。給電台２は、ハウジング３と接続突起４と給電端子とを備えている。ハウジング３は、給電台２のベースとなるもので、外部電源と接続可能であって該外部電源から電流の供給を受けるためのプラグを有している。なお、このプラグは、外部電源と接続可能であって電流の供給を受けることができればよく、コードの有無はいずれでもよい。接続突起４は、ハウジング３の上面から上方に向けて突出形成されている。接続突起４には、上部から下方に向けて接続孔５が開口形成されている。接続孔５には、図示しない給電端子が設けられており、ヘアカーラ１の後述する電極と接触して電気的に接続されるように構成されている。本実施の形態では、接続突起４は２つ設けられているが、接続突起４の数はこれに限定されるものではない。
【００１５】
ヘアカーラ１は、給電台２の接続突起４に取り付けた際に給電端子と電極とが電気的に接続され、給電台２から発熱体に供給された電流により発熱するように構成されている。本実施の形態におけるヘアカーラ１としては、円筒形状ヘアカーラ１１及び楕円形状ヘアカーラ１２がある。図２（ａ）及び図３に示すように、円筒形状ヘアカーラ１１は、外観構成としてカーラ本体１３の外面に髪巻体１４を巻き付けて構成されている。カーラ本体１３は、ヘアカーラ１の外郭を形成するためのもので、例えば従来から公知の樹脂材料を任意に選択したものにより形成されているが、ヘアカーラ１３を形成する材料としては、樹脂材料以外のものを用いて形成してもよい。また、カーラ本体１３は、小径部１５と、この小径部１５よりも大径に形成された大径部１６と、これら小径部１５と大径部１６との間に形成された段差部１７とを有している。小径部１５は、カーラ本体１３の中央部分に形成されており、本実施の形態では、凹凸のない平坦な曲面として形成されている。大径部１６は、小径部１５の左右方向両端にそれぞれ形成されており、この小径部１５よりも大径となるように形成されている。大径部１６には、突出リブＲと、平坦な曲面としての平坦面が形成されている。段差部１７は、小径部１５と大径部１６との間に形成されており、本実施の形態では垂直方向に延びる垂直面として形成されている。この段差部１７は、後述する第１髪巻体１８に毛髪を巻き付ける際、この第１髪巻体１８が設けられている箇所にのみ毛髪が巻き付けられるように、巻き付けられる毛髪の位置をガイドするためのものである。なお、段差部１７は垂直面として形成されることに限定されるものではなく、例えば斜面のように、垂直面以外の態様に形成してもよい。
【００１６】
髪巻体１４は、カーラ本体１３の外面に巻き付けるための基部と、この基部から立設するフック片とを有している。また、髪巻体１４は毛髪の先端を髪巻体１４に留めると共に毛髪を巻き付ける巻き付け部と、この巻き付け部に毛髪を巻き付けた状態を維持するための毛髪維持部とを有している。本実施の形態では、巻き付け部と毛髪維持部はそれぞれ別体で形成されている。すなわち、巻き付け部は、カーラ本体１３の小径部１５の外面に巻き付けられた第１髪巻体１８であり、毛髪維持部は、カーラ本体１３の大径部１６の外面に巻き付けられた第２髪巻体１９である。
【００１７】
図３（ａ）に示すように、第１髪巻体１８は、小径部１５の外面に巻き付けるための第１基部２０と、この第１基部２０から立設する第１フック片２１とを有している。また、第２髪巻体１９は、大径部１６の外面に巻き付けるための第２基部２２と、この第２基部２２から立設する第２フック片２３とを有している。また、第１フック片２１は、起毛高さがｈ１となり、第２フック片２３は、起毛高さがｈ２となるように形成されており、第１フック片２１の高さｈ１が、第２フック片２３の高さｈ２よりも低くなるように、すなわち第１フック片２１及び第２フック片２３の高さの関係がｈ１＜ｈ２となるものを用いて形成されている。
【００１８】
次に、円筒形状ヘアカーラ１１の内部構成について説明する。図３（ａ）及び図３（ｂ）に示すように、円筒形状ヘアカーラ１１は、円筒形状に形成されたカーラ本体１３の内部に、電極２４、電極支持部２５、導電部材２６、発熱体２７、ホルダ２８及び伝熱部材２９が収納されている。電極２４は、給電台２の給電端子と電気的に接続することができるように形成されており、本実施の形態では金属製のピン状の部材で形成されている。電極２４は、先端から所定距離上に位置する箇所から、該電極２４の周囲を保持する保持部３０が設けられている。この保持部３０は、接続突起４の孔に挿入した際に接続孔５との関係で所定の大きさの摩擦力を付与することができるように形成されている。この電極２４の上側に位置する後端には、ネジ止め等の任意な方法によって、導電部材２６が連結されている。
【００１９】
電極支持部２５は、カーラ本体１３の内部に挿入することができるように形成されていると共に、電極２４を支持することができるように形成されている。この電極支持部２５は、任意の樹脂材料を用いて形成されており、その用いる材料としては、カーラ本体１３と同じ樹脂材料を用いてもよいし、カーラ本体１３とは異なる樹脂材料を用いてもよい。この電極支持部２５は、基台部３１と、基台部３１の左右方向中央部において上側に突出形成された電極取付部３２が形成されている。基台部３１は、電極支持部２５のベースとなるもので、外周形状がカーラ本体１３の端部の内径と略同じになるように形成されている。なお、ここで「略同じ」とは、端部の内径と基台部３１の外径とが同じであることに限定されず、端部の内径が基台部３１の外径よりも大きい場合や、端部の内径が基台部３１の外径よりも小さい場合も含む。特に端部の内径が基台部３１の外径よりも小さい場合には、基台部３１をカーラ本体１３に圧入するので、カーラ本体１３内において強固に固定することができる。電極取付部３２は、基台部３１の略中央から上方に突出形成されており、中心に電極２４を土地付固定するための固定孔３３が開口形成されている。図３（ａ）に示すように、電極２４は固定孔３３に挿通されており、固定孔３３の下方に形成されている空間３４に電極２４の先端が位置するように配置される。
【００２０】
導電部材２６は、電極２４を介して給電台２から供給される電流を発熱体２７に供給するためのもので、例えば銅等のような、導電性のよい金属材料で形成されている。本実施の形態では、導電部材２６は、一端部が電極２４の後端にネジ止め等の任意な方法で電気的に接続されており、他端部が発熱体２７に対してネジ止め等の任意な方法で電気的に接続することができるように形成されている。なお、本実施の形態では、導電部材２６は略直角に折れ曲がって形成されているが、この形状に限定するものではない。
【００２１】
発熱体２７は、電極２４及び導電部材２６を介して給電台２から電流が供給されると加熱するものである。図３（ｂ）に示すように、発熱体２７は、後述する伝熱部材２９の少なくとも一部と接触するように構成されており、発熱体２７が発生した熱が伝熱部材２９に伝熱するように構成されている。なお、発熱体２７と伝熱部材２９とは、面接触していることが好ましい。発熱体２７と伝熱部材２９とが面接触することで、発熱体２７から発せられる熱をより効率よく伝熱部材２９に伝えることができる。ホルダ２８は、発熱体２７が伝熱部材２９と面接触した状態を保持するためのものである。図３（ａ）に示すように、ホルダ２８は、ネジ止め等の任意な方法によって伝熱部材２９に取付固定されており、これにより発熱体２７を保持するように構成されているが、伝熱部材２９の取付固定は、ネジ止め以外のもので行ってもよい。
【００２２】
伝熱部材２９は、熱伝導の良いアルミニウム板等の金属板を曲げ加工等して形成されており、外形形状がカーラ本体１３の内側の形状と略一致し、外周面がカーラ本体１３の内周面と接するように、該内周面を周回するように形成されている。この伝熱部材２９は、発熱体２７と接触する伝熱部３５を有しており、この伝熱部３５において発熱体２７の面が面接触するように構成されている。なお図２（ａ）における符号３６は、接地電極である。なお、本実施の形態では、伝熱部材２９にアルミニウム板を使用しているが、伝熱部材２９にはアルミニウム板以外の材質ものを任意に選択して、適宜用いてよい。
【００２３】
次に、楕円形状ヘアカーラ１２の構成について説明する。なお、楕円形状ヘアカーラ１２において円筒形状ヘアカーラ１１の構成と同一のものについては説明を省略し、符号も同一のものを用いて説明する。図２（ｂ）に示すように、楕円形状ヘアカーラ１２は、左端部から右端部にかけて略同一の大きさに形成されており、カーラ本体４０の外面に髪巻体４１を巻き付けて構成されている。また、楕円形状ヘアカーラ１２は、髪巻体４１は、第３基部４２と、この第３基部４２から立設する第３フック片４３とを有しており、第３フック片４３の高さはｈ３となるように形成されている。なお、本実施の形態では、楕円形状ヘアカーラ１２においては第３フック片４３の高さがｈ３であるもののみを用いている。すなわち、楕円形状ヘアカーラ１２においては、左端部から右端部にかけて、高さが同じのものが用いられる。また、楕円形状ヘアカーラ１２は、髪巻体４１の巻き付け部と毛髪維持部は明確に仕切られておらず、髪巻体４１の任意の場所を巻き付け部、毛髪維持部とすることができる。なお、符号４０ａは、楕円形状ヘアカーラ１２の長径方向の第１先端部であり、符号４０ｂは、楕円形状ヘアカーラ１２の長径方向の第２先端部である。
【００２４】
次に、楕円形状ヘアカーラ１２の内部構成について説明する。図４（ａ）、図４（ｂ）に示すように、楕円形状ヘアカーラ１２は、楕円形状に形成されたカーラ本体４０の内部に、電極４４、電極支持部４５、第１導電部材４６、第２導電部材４７、第１発熱体４８、第２発熱体４９、第１ホルダ５０、第２ホルダ５１及び伝熱部材５２が収納されている。電極４４は、電極支持部４５に支持されており、後端の端部において第１導電部材４６及び第２導電部材４７がネジ止め等の任意な方法で取付固定されている。また、楕円形状ヘアカーラ１２は、発熱体５３が複数個設けられている。即ち、発熱体５３は、第１導電部材４６と電気的に接続されている第１発熱体４８と、第２導電部材４７と電気的に接続されている第２発熱体４９とを有している。これら第１発熱体４８及び第２発熱体４９は、それぞれが対向する位置に設けられている。ホルダ５４も、第１発熱体４８を固定する第１ホルダ５０と、第２発熱体４９を固定する第２ホルダ５１とからなる。伝熱部材５２は、第１発熱体４８及び第２発熱体４９から発せられる熱を伝えるためのものである。熱伝導のよいアルミニウム板等の金属板を曲げ加工等して形成されており、外形形状がカーラ本体４０の内側の形状と略一致し、外周面がカーラ本体４０の内周面と接するように、該内周面を周回するように形成されている。また、楕円形状ヘアカーラ１２の伝熱部材５２には、第１発熱体４８と接触する第１伝熱部５５と、第２発熱体４９と接触する第２伝熱部５６とを有しており、第１伝熱部５５において第１発熱体４８が面接触し、第２伝熱部５６において第２発熱体４９が面接触するように構成されている。
【００２５】
次に、本実施の形態に係るヘアカーラ１の作用について説明する。まず、使用者がヘアカーラ１を使用する場合には、予めヘアカーラ１の電極２４を給電台２に形成されている接続突起４の接続孔５に挿入し、該電極２４（楕円形状ヘアカーラ１２の場合は電極４４）と給電端子とを電気的に接続させておく。このように、電極２４（４４）と給電端子とを電気的に接続すると、電極２４（４４）、導電部材２６（楕円形状ヘアカーラ１２の場合は第１導電部材４６及び第２導電部材４７）等を介して、給電台２からヘアカーラ１の発熱体２７（楕円形状ヘアカーラ１２の場合は第１発熱体４８及び第２発熱体４９）に電流が供給される。そして、電流の供給を受けた発熱体２７（４８，４９）が加熱し、この熱が伝熱部材２９（楕円形状ヘアカーラ１２の場合は伝熱部材５２）に伝わって伝熱部材２９（５２）がほぼ均等な所定の温度にまで上昇する。このように、伝熱部材２９（５２）が所定の温度に加熱されると、その熱はカーラ本体１３（楕円形状ヘアカーラ１２の場合はカーラ本体４０）を介してヘアカーラ１の外部へ放出される。すなわち、ヘアカーラ１全体が所定の温度にまで加熱されることになる。
【００２６】
次に、使用者がヘアカーラ１を巻き付ける際の作用効果について説明する。この場合、使用者は、ヘアカーラ１を給電台２から取り、毛髪に巻き付ける。ここで、使用者が円筒形状ヘアカーラ１１を用いる場合には、毛髪の先端を第１髪巻体１８に巻き付ける。この時、本実施の形態では、第１フック片２１の高さが第２フック片２３の高さよりも小さいものが用いられているので、毛髪の先端を第１髪巻体１８に巻き付けると、毛髪の先端は、第１髪巻体１８の第１フック片２１に絡み付いて第１髪巻体１８に固定され、確実に毛髪の先端を巻き付けることができる。毛髪の先端が第１フック片２１により固定されると、その後は使用者がヘアカーラ１を回転させて、毛髪に所定の巻き付け力を付与しながら毛髪をヘアカーラ１に巻き付けることができる。この時、本実施の形態に係るヘアカーラ１は、毛髪の先端を確実に固定しており、ヘアカーラ１と毛髪との間に滑りが生じないので、使用者はヘアカーラ１を回転させることのみによって、簡単に毛髪をヘアカーラ１に巻き付けることができる。また、円筒形状ヘアカーラ１１のカーラ本体１３には、小径部１５と大径部１６との間に段差部１７が設けられているので、巻き付けた毛髪が大径部１６へ飛び出さず、確実に小径部１５において巻き付けることができる。そして、使用者が毛髪をヘアカーラ１に巻き付けて、所定の巻き付け力を付与しつつ毛髪を巻き付けた状態を維持する場合には、第２髪巻体１９に毛髪を付ける。第２髪巻体１９に毛髪を付けると、第２髪巻体１９の第２フック片２３の起毛高さが第１フック片２１よりも高くなるように形成されているので、第１フック片２１よりも多くの毛髪を第２フック片２３に絡ませることができる。したがって、第２髪巻体１９に毛髪をつけることで、毛髪を巻き付けたヘアカーラ１を、毛髪に対して所定の巻き付け力を付与した状態で、その場に維持させることができる。すなわち、円筒形状ヘアカーラ１１によれば、巻き付けを開始する時は第１フック片２１に毛髪を絡ませて毛髪の巻き付けを促進し、巻き付け終了時には、第２フック片２３に毛髪を絡ませることで、所定の巻き付け力を付与しつつ毛髪が巻き付けられた状態を維持し、その場に固定させることが可能になる。
【００２７】
次に、楕円形状ヘアカーラ１２の作用効果について説明する。楕円形状ヘアカーラ１２を使用する場合は、毛髪の先端を第３フック片４３に絡ませる。第３フック片４３に毛髪を絡ませると、楕円形状ヘアカーラ１２に毛髪の先端が固定されるので、所定の巻き付け力を付与しながら毛髪の巻き付けを容易に行うことができる。そして、毛髪を巻き付けた後は、そのまま手を離すと巻き付いた状態を維持しつつその場に固定される。これは、楕円形状ヘアカーラ１２の外形形状が楕円形状をしており、第１先端部４０ａと第２先端部４０ｂが形成されていることに起因する。すなわち、楕円形状ヘアカーラ１２に毛髪を巻き付けた後に使用者が手を離すと、楕円形状ヘアカーラ１２は自重により下方へ落下しようとするものの、楕円形状ヘアカーラ１２には毛髪が巻き付いているので回転しながら落下しようとする。この時、楕円形状ヘアカーラ１２は、回転しだすと第１先端部４０ａと第２先端部４０ｂのいずれかが使用者の頭皮と接触し、この位置で落下を防止することができる。このように、楕円形状ヘアカーラ１２の場合には、楕円形状とすることによって、毛髪の巻き付いた状態を容易に維持することが可能になる。なお、この楕円形状ヘアカーラ１２は、比較的毛髪の長さが短い前髪を自然な形でカールさせる場合に、特に有用である。
【００２８】
このように、本実施の形態に係るヘアカーラによれば、非常に簡便に、かつ短時間でヘアカーラを毛髪に巻き付けることができる。したがって、巻き付ける前に所定の温度に加熱することでヘアカーラが持つ熱を毛髪に十分に与えることができ、より短時間で毛髪を巻き付けることが可能になる。
【００２９】
なお、本実施の形態では、円筒形状のヘアカーラのみ小径部と大径部を有する構成にしたが、楕円形状のヘアカーラも小径部と大径部を有する構成にしてもよい。
【００３０】
次に、本発明の第２の実施の形態に係るヘアカーラの構成を以下において具体的に説明する。なお、本実施の形態に係るヘアカーラの構成について、先に説明した第１の実施の形態のヘアカーラと同一の箇所については、説明を省略する。また、以下においては、円筒形状ヘアカーラに適用した例を用いて説明するが、楕円形状ヘアカーラに適用してもよい。
【００３１】
本実施の形態に係る円筒形状ヘアカーラ６１は、カーラ本体６２の外面において、該外面から突出し、この外面の周方向及び／又は外面の筒軸方向へ形成されたリブ６３が形成されており、外面と第１髪巻体６６の裏面との間に空間部６７が形成されていることを特徴とするものである。
【００３２】
図５に示すように、円筒形状ヘアカーラ６１のカーラ本体６２には、外面にリブ６３が形成されている。このリブ６３は、外面の周方向に延びる４つの第１リブ６４と、外面の筒軸方向に延びる第２リブ６５とからなる。これら第１リブ６４及び第２リブ６５は、外面に対して、該外面から外方向へ突出するように形成されている。これら第１リブ６４及び第２リブ６５の突出高さは、それぞれが異なるように形成してもよいし、同一になるように形成してもよいが、第１髪巻体６６の取り付け及び巻き付けやすさや、小径部に巻き付けた第１髪巻体６６の横断面形状を略真円にすることによる毛髪の巻き付けやすさ等の観点から、第１リブ６４と第２リブ６５の突出高さは同一の高さとなるように形成することが好ましい。図６（ａ）及び図６（ｂ）に示すように、第１髪巻体６６は、これら第１リブ６４の上面及び第２リブ６５の上面と接するように巻き付けられており、これら第１リブ６４及び第２リブ６５の高さ分だけ、外面と第１髪巻体６６の裏面との間に空間部６７が形成されている。
【００３３】
次に、本実施の形態に係る円筒形状ヘアカーラ６１の作用効果について説明する。なお、毛髪の巻き付けに関する作用効果については、先に説明したのと同様であるから、ここでの説明は省略する。本実施の形態に係る円筒形状ヘアカーラ６１は、発熱体６８により発熱された熱が伝熱部材６９により全体的に伝熱し、外面は全体的に均一の温度になるように加熱される。本実施の形態に係る円筒形状ヘアカーラ６１は、第１髪巻体６６が外面と直接接しておらず、第１リブ６４及び第２リブ６５と接している。そのため、第１髪巻体６６は、外面から輻射により空間部６７を伝わってきた熱で加熱されることになり、使用時に比較的低い温度で長時間に亘って巻き付けた毛髪に熱を付与することができる。また、使用者が不意にヘアカーラに触れることがあっても、安全に使用することができる。
【００３４】
以上、本発明に係るヘアカーラについて詳細に説明したが、これは例示であり、本発明の趣旨を逸脱しない範囲で任意に変更してよい。
【符号の説明】
【００３５】
１  ヘアカーラ
１１，６１  円筒形状ヘアカーラ
１２  楕円形状ヘアカーラ
１３，４０，６２  カーラ本体
１４，４１  髪巻体
１５  小径部
１６  大径部
１７  段差部
１８，６６  第１髪巻体
１９  第２髪巻体
２０  第１基部
２１  第１フック片
２２  第２基部
２３  第２フック片
２７，５３  発熱体
２９，５２，６９  伝熱部材
４２  第３基部
４３  第３フック片
４８  第１発熱体
４９  第２発熱体
６３  リブ
６４  第１リブ
６５  第２リブ
６７  空間部
【図１】
2014104257.tif 000003
【図２】
2014104257.tif 000004
【図３】
2014104257.tif 000005
【図４】
2014104257.tif 000006
【図５】
2014104257.tif 000007
【図６】
2014104257.tif 000008